(57)【要約】【課題】温度変化を補償する特性を有する制御データにより制御される伝送装置１１の送信パワーの誤差を補正する送信パワー補正システムで、簡易に補正可能とする。【解決手段】制御データ値書き込み手段１が伝送装置に制御データ値を書き込み、送信パワー値検出手段２〜４が伝送装置からの送信パワー値を検出し、温度値読み込み手段１が伝送装置の内蔵温度センサーの温度値を読み込み、制御データ補正手段１が送信パワー値が所定値になるまで制御データ値を変化させて、温度値について、書き込まれた制御データ値と伝送装置に設定された誤差を有する制御データ値との間のオフセット量を算出し、誤差を有する制御データ値を全ての温度範囲についてオフセット量だけずらして補正し、補正制御データ書き込み手段１が補正後の制御データを伝送装置に設定する。【選択図】  図１
2009260864.tif 000002
【特許請求の範囲】
【請求項１】
温度変化を補償する特性を有する制御データにより制御される伝送装置の送信パワーの誤差を補正する送信パワー補正システムにおいて、
前記伝送装置に対して制御データの値を書き込む制御データ値書き込み手段と、
前記伝送装置から前記制御データ値書き込み手段により書き込まれた制御データの値に応じて出力された送信パワーの値を検出する送信パワー値検出手段と、
前記伝送装置に内蔵された温度センサーにより検出された温度の値を読み込む温度値読み込み手段と、
前記送信パワー値検出手段により検出された送信パワーの値が所定の値になるまで、制御データの値を変化させて、前記制御データ値書き込み手段により前記伝送装置に対して制御データの値を書き込み、前記送信パワー値検出手段により検出された送信パワーの値が前記所定の値になった場合には、前記温度値読み込み手段により読み込まれた温度の値について、前記制御データ値書き込み手段により前記伝送装置に対して書き込まれた制御データの値と前記伝送装置に設定された誤差を有する制御データの値との間のオフセット量を算出し、前記誤差を有する制御データの値を全ての温度範囲について前記算出されたオフセット量だけずらすことで補正する制御データ補正手段と、
前記制御データ補正手段により補正された制御データを前記伝送装置に書き込んで設定する補正制御データ書き込み手段と、
を備えたことを特徴とする送信パワー補正システム。
【発明の詳細な説明】
【技術分野】
【０００１】
本発明は、制御データ（温度補正データ）により制御される伝送装置の送信パワーの誤差を補正する送信パワー補正システムに関し、特に、簡易に補正が可能な送信パワー補正システムに関する。
【背景技術】
【０００２】
例えば、ＦＰＵ（Ｆｉｅｌｄ  Ｐｉｃｋ−ｕｐ  Ｕｎｉｔ）などでは、高周波部と制御部が一体型である伝送装置（ＺＸ１Ｐ：以下で、一体型伝送装置と言う）が使用されている。そして、一体型伝送装置の送信パワーを制御するためのデータ（温度補正データ）をパーソナルコンピュータ（パソコン）により実測させて作成することが行われている。
【０００３】
このとき、高周波部、制御部、一体型伝送装置（ＺＸ１Ｐ）の送信パワーを制御するためのデータ（温度補正データ）をパソコンにより実測させて作成する場合においても、例えば、恒温槽内部のＦＰＵと外部のパワーメーターを接続する延長ケーブルや、アッテネータ（減衰器）などを接続するコネクタ部の微妙な当たり具合により、測定に誤差が発生することがあった。
このような測定誤差が発生したときには、送信パワーの誤差が許容範囲内であればそのままとし、許容できなければ再測定を行っていた。
【０００４】
【特許文献１】特開２００７−９６５８５号公報
【発明の開示】
【発明が解決しようとする課題】
【０００５】
しかしながら、一体型伝送装置の送信パワーを制御するためのデータ（温度補正データ）について再測定を行うためには、恒温槽にて温度を変化させて測定する必要があり、最低でも７、８時間の測定が必要となってしまい、負担が大きかった。
本発明は、このような従来の事情に鑑み為されたもので、制御データ（温度補正データ）により制御される伝送装置の送信パワーの誤差を簡易に補正することができる送信パワー補正システムを提供することを目的とする。
【課題を解決するための手段】
【０００６】
上記目的を達成するため、本発明では、温度変化を補償する特性を有する制御データにより制御される伝送装置の送信パワーの誤差を補正する送信パワー補正システムにおいて、次のような構成とした。
すなわち、制御データ値書き込み手段が、前記伝送装置に対して、制御データの値を書き込む。送信パワー値検出手段が、前記伝送装置から、前記制御データ値書き込み手段により書き込まれた制御データの値に応じて、出力された送信パワーの値を検出する。温度値読み込み手段が、前記伝送装置に内蔵された温度センサーにより検出された温度の値を読み込む。制御データ補正手段が、前記送信パワー値検出手段により検出された送信パワーの値が所定の値（規定値）になるまで、制御データの値を変化させて、前記制御データ値書き込み手段により前記伝送装置に対して制御データの値を書き込み、そして、前記送信パワー値検出手段により検出された送信パワーの値が前記所定の値（規定値）になった場合には、前記温度値読み込み手段により読み込まれた温度の値について、前記制御データ値書き込み手段により前記伝送装置に対して書き込まれた制御データの値と前記伝送装置に設定された誤差を有する制御データの値との間のオフセット量（ずれの量）を算出し、前記誤差を有する制御データの値を全ての温度範囲について前記算出されたオフセット量だけずらすことで補正する。補正制御データ書き込み手段が、前記制御データ補正手段により補正された制御データを前記伝送装置に書き込んで設定する。
【０００７】
従って、例えば、誤差を有する制御データ（温度補正データ）に対して与えるべきオフセット量を１点の温度で算出して、そのオフセット量を誤差を有する制御データ（温度補正データ）の全ての温度範囲について与えることにより、制御データ（温度補正データ）により制御される伝送装置の送信パワーの誤差を簡易に補正することができる。
【０００８】
なお、誤差を有する制御データに対して与えるべきオフセット量を算出する１点の温度としては、例えば、常温が用いられるが、他の種々な温度が用いられてもよい。
また、例えば、２点以上の異なる温度の値で算出されたオフセット量を考慮して（例えば、平均化などして）、誤差を有する制御データを補正するような構成が用いられてもよい。
また、制御データの全ての温度範囲としては、必ずしも無限の温度範囲を意味しているのではなく、例えば、伝送装置に対する制御データの設定状況（必要な温度範囲の状況）などに応じて、任意の温度範囲が用いられてもよい。
【発明の効果】
【０００９】
以上説明したように、本発明に係る送信パワー補正システムによると、制御データ（温度補正データ）により制御される伝送装置の送信パワーの誤差を簡易に補正することができる。
【発明を実施するための最良の形態】
【００１０】
本発明に係る実施例を図面を参照して説明する。
まず、本実施例における着眼点について説明する。
すなわち、ケーブルやコネクタ部の微妙な当たり具合による誤差は、ケーブルやコネクタ部の接触による損失の増減で起きるため、温度に関係なく常に一定である。このことから、誤差を含んでいる送信パワー制御データ（温度補正データ）に一定量のオフセット量を加えることで全体を補正することができる。
そこで、本例では、常温で一点だけ測定して、補正オフセット量を算出し、この補正オフセット量を誤差を含んでいる送信パワー制御データ（温度補正データ）に加えることで、温度全体の補正を可能とする。これにより、本例では、測定誤差を簡単に補正することができる。
【００１１】
図１には、本発明の一実施例に係る送信パワー補正システムの構成例を示してある。
本例の送信パワー補正システムでは、高周波部と制御部が一体型である一体型伝送装置（ＺＸ１Ｐ）１１の送信パワーの制御データ（温度補正データ）を補正する。
【００１２】
本例の送信パワー補正システムは、例えばパーソナルコンピュータ（パソコン）から構成された情報処理装置１と、アッテネータ（減衰器）２と、パワーセンサー部３と、パワーメーター４と、パワーメーター４と情報処理装置１とを接続するＧＰＩＢ（Ｇｅｎｅｒａｌ  Ｐｕｒｐｏｓｅ  Ｉｎｔｅｒｆａｃｅ  Ｂｕｓ）ケーブルと、一体型伝送装置１１と情報処理装置１とを接続するＬＡＮ（Ｌｏｃａｌ  Ａｒｅａ  Ｎｅｔｗｏｒｋ）ケーブル６を備えている。
ここで、一体型伝送装置１１とアッテネータ２が接続されており、アッテネータ２とパワーセンサー部３が接続されており、パワーセンサー部３とパワーメーター４が接続されている。
【００１３】
概略的には、一体型伝送装置１１から出力された信号がアッテネータ２により減衰させられた後に、パワーセンサー部３により当該信号のパワー（送信パワー）が検出され、当該検出結果がパワーメーター４により送信パワーの検出値（パワー値）とされてＧＰＩＢケーブル５を介して情報処理装置１に入力される。また、情報処理装置１はＬＡＮケーブル６を介して一体型伝送装置１１を制御する。
【００１４】
図２を参照して、送信パワーの制御データ（温度補正データ）のグラフ補正の一例を示す。
図２に示されるグラフでは、横軸は一体型伝送装置１１の送信部の電力増幅器（ＰＡ：Ｐｏｗｅｒ  Ａｍｐｌｉｆｉｅｒ）の温度を表しており、縦軸は目標検波電圧値に対応する制御データ（温度補正データ）の値を表している。温度の変化に応じて制御データ（温度補正データ）の値が変化し得る。
そして、誤差を含んだ送信パワーの制御データ（温度補正データ）を表す線を示してあるとともに、補正後の送信パワーの制御データ（温度補正データ）を表す線を示してある。
【００１５】
本例の送信パワー補正システムでは、まず、常温で１点だけ送信パワーの制御データ（温度補正データ）を測定して、補正オフセット量を算出する処理を行い、次に、誤差を含んだ送信パワーの制御データ（温度補正データ）の全体（図２に示されるグラフの全体）に、算出した補正オフセット量を加算することで、補正を行う。
【００１６】
図３を参照して、本例の送信パワー補正システムにより、一体型伝送装置（ＺＸ１Ｐ）１１の送信パワーの制御データ（温度補正データ）を補正する処理の手順の一例を示す。
なお、本例では、パソコンから構成された情報処理装置１と、一体型伝送装置（ＺＸ１Ｐ）１１と、パワーメーター４により行われる動作について示してある。アッテネータ２とパワーセンサー部３については、一体型伝送装置１１とパワーメーター４との間を仲介しており、省略してある。
【００１７】
まず、測定した送信パワーの制御データ（温度補正データ）に誤差があった場合には、常温にて、図１に示されるような接続状態を確立する。ここで、本例では、アッテネータ２とパワーセンサー部３とは直結させ、これにより、なるべく誤差が入る要因を無くす。
そして、次の（処理１）〜（処理７）を行う。
【００１８】
（処理１）情報処理装置１からＬＡＮケーブル６を介して一体型伝送装置１１へ制御信号を送信することにより、一体型伝送装置１１のモードをメンテナンスモードへ切り替える。
（処理２）情報処理装置１からＬＡＮケーブル６を介して一体型伝送装置１１へ制御信号を送信することにより、一体型伝送装置１１に対して、モード切り替え及びパワー出力の指示を送る。
【００１９】
（処理３）情報処理装置１からＬＡＮケーブル６を介して一体型伝送装置１１へ制御データを送信することにより、一体型伝送装置１１に対して、送信パワーの制御データを書き込む。これに応じて、一体型伝送装置１１は、書き込まれた制御データを使用して、信号（送信パワー）をアッテネータ２及びパワーセンサー部３を介してパワーメーター４へ出力する。
（処理４）情報処理装置１は、パワーメーター４からパワー値を読み込む。
（処理５）情報処理装置１は、一体型伝送装置１１の送信パワーレベル（読み込まれるパワー値）が規定値になるまで、制御データの値を変えながら、上記した（処理３）及び（処理４）を繰り返して行う。
【００２０】
（処理６）情報処理装置１は、一体型伝送装置１１の送信パワーレベル（読み込まれるパワー値）が規定値に達した場合には、その時における、送信パワーの制御データの値を一体型伝送装置１１から読み込むとともに、一体型伝送装置１１に内蔵された温度センサーの検出値（内蔵温度センサー値）を一体型伝送装置１１から読み込む。なお、一体型伝送装置１１の温度センサーは、例えば、送信部の電力増幅器（ＰＡ）或いはその周囲の温度を検出するように設けられている。
（処理７）情報処理装置１は、測定結果（測定した送信パワーの制御データの値）から補正オフセット量を算出し、誤差を含んだ送信パワーの制御データ（温度補正データ）を補正する。本例では、補正オフセット量の算出は常温の１点で行われ、制御データ（温度補正データ）の補正は全ての温度範囲について行われる。そして、情報処理装置１は、補正後の送信パワーの制御データ（温度補正データ）を一体型伝送装置１１に書き込む。
【００２１】
なお、誤差を含んだ送信パワーの制御データ（温度補正データ）は、例えば、補正前において一体型伝送装置１１に設定されているものであり、情報処理装置１が一体型伝送装置１１から読み込む。
また、一体型伝送装置１１では、例えば、設定された送信パワーの制御データ（温度補正データ）に基づいて、内蔵された温度センサーの検出値（すなわち、温度の値）に対応した制御データの値を決定して、その制御データの値を用いて送信パワーを決定して出力する。
【００２２】
以上のように、本例の送信パワー補正システムでは、誤差を補正する場合においても、温度全体について再測定する必要がなく、常温で１点だけ測定して補正オフセット量を算出し、この補正オフセット量を誤差を含んでいる送信パワーの制御データ（温度補正データ）に加えることにより、簡易に、温度全体についての補正が可能である。
【００２３】
なお、本例の送信パワー補正システムでは、図２に示されるようなグラフで表される制御データが温度変化を補償する特性を有する制御データに相当しており、情報処理装置１が一体型伝送装置１１（伝送装置の一例）に対して制御データの値を書き込む機能により制御データ値書き込み手段が構成されており、アッテネータ２とパワーセンサー部３とパワーメーター４を介して一体型伝送装置１１からの送信パワーの値を検出する機能により送信パワー値検出手段が構成されており、情報処理装置１が一体型伝送装置１１から内蔵温度センサーの検出値を読み込む機能により温度値読み込み手段が構成されており、情報処理装置１が一体型伝送装置１１に対して書き込む制御データの値を変化させて送信パワーの値が所定の値（規定値）になるようにして、そのときの温度値でオフセット量（補正オフセット量）を算出し、そのオフセット量だけ誤差を有する制御データ（温度補正データ）を全ての温度範囲について（誤差を減らす方向へ）ずらす機能により制御データ補正手段が構成されており、情報処理装置１が補正後の制御データを一体型伝送装置１１に対して書き込む（誤差を有する制御データから補正後の正しい制御データへ更新する）機能により補正制御データ書き込み手段が構成されている。
【００２４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２５】
【図１】本発明の一実施例に係る送信パワー補正システムの構成例を示す図である。
【図２】送信パワーの制御データ（温度補正データ）の補正の様子の一例を示す図である。
【図３】送信パワーの制御データ（温度補正データ）を補正する処理のシーケンスの一例を示す図である。
【符号の説明】
【００２６】
１・・情報処理装置、  ２・・アッテネータ（減衰器）、  ３・・パワーセンサー部、  ４・・パワーメーター、  ５・・ＧＰＩＢケーブル、  ６・・ＬＡＮケーブル、  １１・・一体型伝送装置、
【図１】
2009260864.tif 000003
【図２】
2009260864.tif 000004
【図３】
2009260864.tif 000005